(57)【要約】【課題】特別な犠牲を払うことなく滑り棒を設置することができ、また、火災発生時などで避難しなければならない事態となった場合でも組み立てることなく即座に使用することができる緊急避難器具を提供することを目的とし、さらには、火災発生時などにおいても、滑り棒自体が熱を持つことなく握れる状態で滑り降りることのできる緊急避難器具を提供する。【解決手段】建物１の外壁１５に取り付けられて避難者を上層階から階下へ滑り下ろすための金属製の滑り棒２１を備えた緊急避難器具２において、滑り棒２１の内側軸方向に建物１から排出された雨水や生活排水を通すための中空部２２を備え、当該滑り棒２１を建物１の窓１３あるいはベランダ１４から握れる位置に取り付けるようにする。そして、火災発生時に、その滑り棒２１の中空部２２に水を通して滑り棒２１の温度上昇を防止し、安全に滑り降りられるようにする。【選択図】図１
2009077962.tif 000002
【特許請求の範囲】
【請求項１】
建物に取り付けられて避難者を上層階から階下へ滑り下ろすための滑り棒を備えた緊急避難器具において、
前記滑り棒の内側軸方向に建物から排出された雨水を通す中空部を備え、当該滑り棒を建物の窓あるいはベランダから握れる位置に取り付けたことを特徴とする緊急避難器具。
【請求項２】
前記滑り棒を、最上階と最下階の外壁に取り付けられた支持部材を介して取り付け、当該最上階と最下階との間に支持部材を取り付けないようにした請求項１に記載の緊急避難器具。
【請求項３】
前記滑り棒の下端部を地面に埋設した状態で固定するようにした請求項１に記載の緊急避難器具。
【請求項４】
前記滑り棒の上部側を回動可能に支持し、下部側を支持部材から取り外して任意の角度で下端部を固定できるようにした請求項１に記載の緊急避難器具。
【発明の詳細な説明】
【技術分野】
【０００１】
本発明は、火災が発生した際に、上層階から避難できるようにした緊急避難器具に関するものであり、より詳しくは、上層階の窓やベランダから滑り棒を用いて避難できるようにした緊急避難器具に関するものである。
【背景技術】
【０００２】
従来、火災が発生した場合に使用される「避難器具」としては、避難梯子、避難用タラップ、滑り台、救助袋、緩降機、滑り棒などが存在する。これらの避難器具は、建物の構造や用途、収容人員に応じて設置することが消防関係法令で定められているが、一般住宅に対しては設置義務がなく、現実的にもほとんど設置されていない。しかしながら、一般住宅からの火災発生割合が高いことや、一般住宅では階段が通常一カ所程度しかなく、また、一旦火災が発生するとその階段が煙道となって使用できなくなってしまうことから、下階から出火した場合には２階や３階からの避難経路が断たれてしまうのが現状である。
【０００３】
そこで、一般住宅にも簡単に避難器具を設置できるようなものとして、下記の特許文献１や特許文献２に示されるような避難器具が提案されている。
【０００４】
具体的に特許文献１には、火事などの緊急時に避難者を窓から外に脱出できるようにした滑り棒に関する避難器具であって、窓の外側下部に設けられ、避難者が移動できる広さを有する幅広樋と、地上に立設され、その上端部が幅広樋の終端部の上方に屈曲して被さる滑り棒を備えたものが提案されている。
【０００５】
また、下記の特許文献２には、建物の外壁に取り付けられる滑り棒であって、伸長状態で１階分以上の長さを有する複数の同軸パイプを連結できるようにした伸縮ポールと、そのポールを回転自在に支持するブラケットとを備えた滑り棒が提案されている。
【特許文献１】特開平９−２３９０４５号公報
【特許文献２】特開２００２−１３５６０９号公報
【発明の開示】
【発明が解決しようとする課題】
【０００６】
しかしながら、これらの滑り棒は、いずれも専用の滑り棒を建物の外部に取り付けて使用するものであるため、一般住宅にデザインや外観に溶け込ませにくいという問題を有するばかりでなく、専用の避難器具を取り付けることはコストが高くつくという問題を有する。さらには、このような滑り棒を設ける場合、強度を確保するためにステンレス製の金属製部材で構成する必要があるが、このように金属製部材で構成した場合には、火災によって加熱されてしまった場合には、滑り棒を握れなくなってしまうという問題も有する。
【０００７】
そこで、本発明は上記課題に着目してなされたもので、特別な犠牲を払うことなく滑り棒を設置することができ、また、火災発生時などで避難しなければならない事態となった場合においても、組み立てに時間を費やすことなく即座に使用することができる滑り棒を有する緊急避難器具を提供することを目的とし、さらには、火災発生時などにおいても、滑り棒自体が熱を持つことなく握った状態で滑り降りることのできる緊急避難器具を提供することを目的とする。
【課題を解決するための手段】
【０００８】
すなわち、本発明は上記課題を解決するために、建物に取り付けられて避難者を上層階から階下へ滑り下ろすための滑り棒を備えた緊急避難器具において、前記滑り棒の内側軸方向に建物から排出された雨水を通す中空部を備え、当該滑り棒を建物の窓あるいはベランダから握れる位置に取り付けたことを特徴とするものである。
【０００９】
このようにすれば、建物に取り付けられている縦樋と滑り棒の各機能を兼用することができ、デザイン的にも通常の縦樋として見せることができるために外観に溶け込ませやすくなる。また、別途新たに滑り棒を設ける場合に比べて、部材のコストや取り付けコストなども低減させることができるようになる。さらには、火災が発生した場合には、消防車からの屋根への放水などによって建物の横樋などからの水を滑り棒内に導くことができ、滑り棒の熱を下げて安心して握らせることができるようになる。
【００１０】
また、このような発明において、最上階と最下階の外壁に取り付けられた支持部材を介して滑り棒を取り付け、当該最上階と最下階との間に支持部材を取り付けないようにする。
【００１１】
このようにすれば、上層階から滑り降りてくる際に、支持部材が邪魔になることがなく、また、平常時においては中間位置に支持部材が存在しないため、泥棒などを侵入させなくすることができる。
【００１２】
さらに、滑り棒の下端部を地面に埋設した状態で固定するようにする。
【００１３】
このようにすれば、滑り棒に支持部材などを取り付ける必要がなくなり、滑り降りる際に支持部材が当たってケガをするなどの心配がなくなる。
【００１４】
また、前記滑り棒の上部側を回動可能に支持し、下部側を支持部材から取り外して任意の角度で下端部を固定できるようにする。
【００１５】
このようにすれば、上部側のみを回動可能に支持して下端部を移動させ、滑り降りやすい場所に滑り下ろすことができ、階下で火災が発生しているような場合に、その場所を退避して避難させることができるようになる。また、傾斜を付けることで、滑り降りる際のスピードを和らげることができ、安心して上層階から滑り下ろさせることができるようになる。
【発明の効果】
【００１６】
このように本発明によれば、建物に取り付けられて避難者を上層階から階下へ滑り下ろすための滑り棒を備えた緊急避難器具において、前記滑り棒の内側軸方向に建物から排出された雨水を通す中空部を備え、当該滑り棒を建物の窓あるいはベランダから握れる位置に取り付けるようにしたので、縦樋と滑り棒の各機能を兼用することができ、デザイン的にも通常の建物と変化なく、また、別途新たに滑り棒を設ける場合に比べて、部材のコストや取り付けコストなども低減させることができるようになる。さらには、火災が発生した場合には組み立てに時間を費やすことなく、消防車から屋根への放水などによって建物の横樋などからの水を滑り棒内に導くことができ、滑り棒の熱を下げて安心して握らせることができるようになる。
【発明を実施するための最良の形態】
【００１７】
以下、本発明の一実施の形態について図面を参照して説明する。図１は、第一の実施の形態における緊急避難器具２を建物１の外壁１５に取り付けた構造を示したものであり、図２は、その緊急避難器具２の滑り棒２１の構造を示したものである。また、図３は、その滑り棒２１の下端部２１ｄ近傍の状態を示したものである。
【００１８】
第一の実施の形態における緊急避難器具２は、図１に示すように、一戸建住宅やマンションなどの建物１の外壁１５に取り付けられるものであって、建物１から排出される雨水や排水を排出する横樋１１などに連結される連結部１２と、当該連結部１２の下方に接続され、内側に雨水や排水を通すことのできる中空部２２を備えた滑り棒２１（図２参照）と、この滑り棒２１を屋外の窓１３やベランダ１４近傍から握れるような位置に取り付ける支持部材３とを備えて構成されるものである。以下、本実施の形態における緊急避難器具２の構造について詳細に説明する。
【００１９】
図１において、符号１１は、建物１の屋上や屋根などに設けられた一般的な横樋であって、屋上や屋根に降り注いだ雨水をまとめて一方向に流すものであり、合成樹脂やトタンなどによって形成されるものである。この横樋１１の下流端には、その横樋１１から流出してきた水を縦方向に流すための連結部１２が設けられている。この連結部１２は、横樋１１と同じ合成樹脂などによって形成され、その下端部分を滑り棒２１の中空部２２内に通すように設けるようにしている。
【００２０】
一方、この連結部１２に連結される滑り棒２１は、火災時にも燃焼することがないような金属製または難燃性の合成樹脂の部材で形成されるものであって、図２に示すように、容易にその内部に連結部１２から排出された水を通すための中空部２２を設けて縦樋と兼用できるようにしている。この滑り棒２１は、避難時に上層階から階下へ滑り降りることができ、しかも、子供であっても両手で十分に握ることができるように、例えば、外径を６ｃｍ前後の大きさの大きさに設定される。なお、この外径については、これらの値に限定されるものではなく、適宜最適な寸法に設定される。そして、この滑り棒２１の下端部２１ｄは、地面に接触して起立するように設けられ、人間がぶら下がった場合であっても、下端部２１ｄによって荷重に耐えられるようにしている。また、この滑り棒２１の下端部２１ｄの側方には、中空部２２から排出される水を排出するための排出管２４を設けている。この排出管２４は、中空部２２内における水溜まりを防止するもので、水を滑り棒２１から離れた位置に排出することによって、金属部分の錆や落葉樹などのゴミが溜まることを防止する。この排出管２４は、合成樹脂によって形成され、滑り棒２１の下端の開口部２３に着脱できるようにしている。そして、この排出管２４を滑り棒２１に取り付ける場合、突状に設けられた合成樹脂性の嵌合部分などを滑り棒２１の開口部２３に押し込んで取り付けられるようにする。
【００２１】
そして、このように形成された滑り棒２１は、支持部材３を介して建物１の外壁１５に取り付けられる。この滑り棒２１の取り付け位置としては、好ましくは、窓１３やベランダ１４から手を伸ばして握ることが可能な位置に設定され、しかも、人間が滑り棒２１を抱きかかえるように滑り降りた場合であっても外壁１５との間に隙間を有するように、外壁１５から３０ｃｍ以上離して取り付けられる。なお、ここで、窓１３やベランダ１４から手を伸ばして握れるような位置に滑り棒２１を設けると、階下からの不審者がよじ登ってくる可能性があるため、窓１３やベランダ１４に滑り棒２１側へ引き出せるようにした図示しない延出台などを設け、この延出台などを引き延ばした状態でのみ滑り棒２１を握れるようにしてもよい。
【００２２】
一方、この滑り棒２１を取り付ける支持部材３は、避難者が滑り棒２１にぶら下がった場合であっても外壁１５から外れることがないような比較的強度を有する部材で取り付けられるものであって、金属製のリング部３１と、そのリング部３１と外壁１５との距離を確保するためのアーム部３２と、この支持部材３を外壁１５に取り付けるためのベース部３３とを備えて構成される。そして、このベース部３３をアンカーボルトなどを介して比較的強固に建物１の外壁１５に打ち込み、避難者がぶら下がった場合であっても滑り棒２１が外壁１５から外れないようにする。なお、この支持部材３を上下方向に複数取り付けると、滑り降りる際に、避難者が途中の支持部材３に当たってしまい、手や足をケガしてしまう可能性がある。また、支持部材３を複数箇所に取り付けた場合には、階下から不審者が侵入してくる可能性がある。このため、この実施の形態では、滑り棒２１が利用される避難時に握られる部位よりも上方に支持部材３を取り付けるとともに、滑り棒２１が利用される地上にしゃがんで降りた姿勢での手の握り部位よりも下方に支持部材３を取り付け、かつ、その途中には支持部材３を取り付けないようにする。これにより、滑り降りる最のケガの危険性や不審者の浸入を防止できるようにしている。
【００２３】
次に、このように構成された緊急避難器具２の利用方法について説明する。
【００２４】
まず、火災が発生していない状態においては、滑り棒２１は縦樋としての機能を果たし、横樋１１や屋内の排出管２４から排出された水などを連結部１２を介して縦方向に通し、滑り棒２１の中空部２２を通して水を階下へ排出する。一方、火災が発生した場合、避難者は、窓１３やベランダ１４から手を伸ばし、滑り棒２１に手を掛けるとともに、脚や腕を滑り棒２１に巻き付けるように抱きつく。あるいは、窓１３やベランダ１４に延出台が設けられている場合は、その延出台を延ばした状態で滑り棒２１に手を掛けて、滑り棒２１に抱きついて滑り降りる。このとき、着地時に排出管２４が邪魔になり、足をくじいてしまう可能性がある。このため、滑り降りる際には、あらかじめ消防士などの補助を受けて排出管２４を取り外しておき、着地地点には何も存在しない状態としておく。また、最下部の支持部材３も取り外して、滑り棒２１の下端部２１ｄでのみ荷重を支持できるようにしておく。
【００２５】
そして、避難者が滑り棒２１を利用して避難する際は、消防車から屋根への放水によって横樋１１の水を集め、連結部１２を介して滑り棒２１の中空部２２に水を通す。そして、この水によって滑り棒２１の温度上昇を防止し、滑り棒２１を安心して握れるようにする。
【００２６】
このように第一の実施の形態によれば、滑り棒２１の内部に横樋１１などから排出された水を通す中空部２２を設けるようにしたので、縦樋と滑り棒２１を兼用することができ、通常の建物１のデザインを従来と同じようにすることができる。また、滑り降りる際に、中空部２２内に水を通すため、滑り棒２１の熱を下げることができ、滑り棒２１で火傷することなく、安心して滑り棒２１を握らせることができる。さらには、この滑り棒２１の最上階と最下階の２カ所で支持するようにしたので、滑り降りる際に支持部材３に手や足が当たってケガをしてしまうようなことがなくなる。
【００２７】
なお、本発明は上記実施の形態に限定されることなく、種々の態様で実施することができる。
【００２８】
例えば、上記第一の実施の形態では、滑り棒２１を支持部材３を介して建物１に取り付けるようにしたが、図４に示すように、滑り棒２１の下端部２１ｄを地面に埋設して起立させるようにしてもよい。この滑り棒２１を地面に起立させる場合、下端部２１ｄをコンクリートブロック４に埋設して固定する。そして、滑り棒２１の中空部２２のうち、コンクリートブロックに埋設された部分については、水の溜まりを防止するためにコンクリートや防水剤などによって中空部２２を塞ぎ、地表部分に設けられた開口部２３に取り付けられた排出管２４を通して水を排出できるようにする。もしくは、図５に示すように、地面に埋設されたコンクリートブロック４内で滑り棒２１の下端部２１ｄをＬ字状に屈曲させ、その屈曲部分の先端を図示しない下水溝などに排出させるようにすることもできる。このようにすれば、建物１の外壁１５に支持部材３を取り付ける必要がなくなるので、滑り降りる際に手や足を引っかけてケガをさせる心配がなくなる。
【００２９】
また、上記実施の形態では、滑り棒２１を外壁１５に沿って鉛直状に固定して取り付けるようにしているが、図６に示すように、滑り棒２１の着地地点を変更して角度を任意に変更できるようにしてもよい。すなわち、滑り棒２１が垂直な状態であった場合、落下速度が急になって幼児や高齢者などに不安感を与える可能性があり、また、着地地点の近くで火災が起こっている場合は、その着地地点で火傷を負ってしまう可能性もある。このため、滑り棒２１の着地地点を変更できるようにする。
【００３０】
このように着地地点を変更できるようにする場合、滑り棒２１の上端部２１ｕ近傍をリング部３１によって比較的緩やかに支持するとともに、滑り棒２１の下端部２１ｄを支持部材３から取り外して任意の位置に固定できるようにする。なお、滑り棒２１の下端部２１ｄを変更すると、下端部２１ｄで地面との間で滑りを生じてしまう可能性がある。このため、好ましくは、滑り棒２１の下端部２１ｄに尖状部を形成しておき、滑り棒２１などの荷重によってその尖状部を地面に突き刺させるようにしておく。そして、火災が起こった際には、下端部２１ｄの支持部材３から滑り棒２１を取り外し、上端部２１ｕの支持部材３を支点として滑り棒２１を傾斜させ、下端部２１ｄを安全な位置に突き刺す。そして、このようにした状態で上層階のベランダ１４や窓１３から避難者を滑り下ろさせるようにする。このようにすれば、比較的緩やかな傾斜角度によって滑り降りる際の速度を和らげることができ、また、着地地点で火災が発生している場合には、その着地地点を安全な位置に変更して避難者を避難させることができるようになる。
【００３１】
さらに、上記実施の形態では、窓１３やベランダ１４の近傍に滑り棒２１を設けるようにしているが、このような状態では不審者がよじ登ってくる可能性があるため、滑り棒２１に図示しない忍び返しなどを設け、火災が発生した場合には、避難者の足が乗って体重が加わることによって身体と一緒に地上へ滑り落ちるようにしても良い。
【００３２】
加えて、上記実施の形態では、緊急時として火災による避難を想定して説明したが、火災に限らず、地震などの場合などにも使用することもできる。
【００３３】
また、上記実施の形態では、横樋１１から水を排出して滑り棒２１の中空部２２に通すようにしたが、これに限らず、建物１の屋内から排出された生活用水などを通すようにしてもよい。
【図面の簡単な説明】
【００３４】
【図１】本発明の一実施の形態における緊急避難器具を取り付けた建物の外観を示す図
【図２】同形態における緊急避難器具の滑り棒の構造を示す図
【図３】同形態における滑り棒の下端近傍を示す
【図４】本発明における第二の実施の形態における緊急避難器具の概要を示す図
【図５】同形態における滑り棒下端の他の例を示す図
【図６】本発明における第三の実施の形態における緊急避難器具の使用例を示す図
【符号の説明】
【００３５】
１・・・建物
１１・・・横樋
１２・・・連結部
１３・・・窓
１４・・・ベランダ
２・・・緊急避難器具
２１・・・滑り棒
２２（２１ｕ、２１ｄ）・・・中空部（上端部、下端部）
２３・・・開口部
２４・・・排出管
３・・・支持部材
３１・・・リング部
３２・・・アーム部
３３・・・ベース部
４・・・コンクリートブロック
【図１】
2009077962.tif 000003
【図２】
2009077962.tif 000004
【図３】
2009077962.tif 000005
【図４】
2009077962.tif 000006
【図５】
2009077962.tif 000007
【図６】
2009077962.tif 000008